(57)【要約】      （修正有）【課題】安価に野球バットを乾燥させることができる野球バット用ケースを提供する。【解決手段】野球バット用ケース１は、野球バット３を収納する空間を備えるケース本体１０を備え、ケース本体は、野球バットをケース本体に収納するための開口部２と、開口部を開閉するための開閉手段と、を備え、ケース本体は、空間側に位置する吸湿層と、吸湿層を挟んで空間とは反対側に位置する外層を含む。【選択図】図２
0003225116.tif 000002
【実用新案登録請求の範囲】
【請求項１】
野球バット用ケースであって、
前記野球バット用ケースは、野球バットを収納する空間を備えるケース本体を備え、
前記ケース本体は、
前記野球バットを前記ケース本体に収納するための開口部と、
前記開口部を開閉するための開閉手段と、を備え、
前記ケース本体は、前記空間側に位置する非透湿層と、前記非透湿層を挟んで前記空間とは反対側に位置する外層を含む、
野球バット用ケース。
【請求項２】
前記非透湿層は、シリカ蒸着層、ハーフ蒸着層又はその組み合わせである、請求項１に記載の野球バット用ケース。
【請求項３】
前記開閉手段は、凸部ライナーと凹部ライナーを備え、
前記凸部ライナーと前記凹部ライナーとが嵌合することで前記ケース本体の前記空間が密閉され、前記開口部が閉じた状態となる、請求項１又は２に記載の野球バット用ケース。
【考案の詳細な説明】
【技術分野】
【０００１】
本考案は、野球バット用ケース、特に、非透湿層を含む野球バット用ケースに関する。
【背景技術】
【０００２】
野球は、一部の屋根付き球場以外では、野外で行わるスポーツであり、突然の雨天により野球道具が濡れる場合がある。特に木製野球バットは、空気中の水分や汗、雨が浸透することで、耐久性や弾性力が低下するおそれがあり、通常、タオルなどの布で、濡れた木製野球バットを拭くことで表面的な水分を除く。
【０００３】
しかしながら、表面から浸透した水分は、木製野球バットの表面を布で拭いたとしても取り切れるものではない。
【０００４】
特許文献１には、乾燥剤を複数個備える非透湿性の野球バット用乾燥箱が開示されている。
【先行技術文献】
【特許文献】
【０００５】
【特許文献１】実全昭61-089794号公報
【考案の概要】
【考案が解決しようとする課題】
【０００６】
しかしながら、特許文献１の野球バット用乾燥箱は、大掛かりな箱であり、安価にバットを乾燥させることができない問題があった。また、特許文献１の野球バット用乾燥箱は、乾燥する季節においては、湿度を調節することが困難であった。
【課題を解決するための手段】
【０００７】
本考案者は、鋭意研究の結果、安価に提供することが可能な、非透湿層を含む野球バット用ケースを開発することに成功した。
【０００８】
本考案は、
野球バット用ケースであって、
上記野球バット用ケースは、野球バットを収納する空間を備えるケース本体を備え、
上記ケース本体は、
上記野球バットを上記ケース本体に収納するための開口部と、
上記開口部を開閉するための開閉手段と、を備え、
上記ケース本体は、上記空間側に位置する非透湿層と、上記非透湿層を挟んで上記空間とは反対側に位置する外層を含む、
野球バット用ケース
である。
【０００９】
本考案によって、野球バット用ケース内を密封することが可能になり、ケース内の湿度を容易にコントロールすることが可能になる。
【００１０】
また、上記吸湿層は、シリカ蒸着層、ハーフ蒸着層又はその組み合わせであってもよい。更に、上記開閉手段は、凸部ライナーと凹部ライナーを備えていてもよく、上記凸部ライナーと上記凹部ライナーとが嵌合することで上記ケース本体の上記空間が密閉され、上記開口部が閉じた状態となっていてもよい。
【図面の簡単な説明】
【００１１】
【図１】図１は、開口部が閉じた本考案にかかる野球バット用ケースを示した図である。
【図２】図２は、開口部が開いた本考案にかかる野球バット用ケースを示した図である。
【図３】図３は、図１に示す線分A-A'の断面図である。
【図４】図４は、本考案にかかる野球バット用ケースの開口部の部分拡大図である。
【図５】図５は、図３に示す領域Rを概略的に示した部分拡大図である。
【図６】図６は、実施例で使用した木製バットにおける水分量(質量)の経時的な減少を示すグラフである。
【考案を実施するための形態】
【００１２】
野球バット用ケース
図１は、開口部2が閉じた本実施形態にかかる野球バット用ケース1を示し、図２は、開口部2が閉じた本実施形態にかかる野球バット用ケース1を示している。図１は、例示的に、野球バット3(不図示)を収容した野球バット用ケース1を示している。図２も例示的に野球バット3を表示している。図３は、図１に示す線分A-A'の断面図である。
【００１３】
野球バット用ケース1は、野球バット3を収納する空間4を備えるケース本体10を備える。本実施形態において、ケース本体10は、第一長方形シート10eと第二長方形シート10fを重ね合わせて構成されており、第一短辺10aと、第一短辺10aと向かい合う第二短辺10cと、第一短辺10aと第二短辺10cとの間に延在する第一長辺10b及び第一長辺10bと向かい合う第二長辺10dを備える。本実施形態において、ケース本体10の第二短辺10c、第一長辺10b及び第二長辺10dは、開閉不可である一方で、ケース本体10の第一短辺10aは、開閉可能である。言い換えれば、本実施形態にかかるケース本体10は、野球バット3をケース本体10に収納するための開口部2を第一短辺10aに備える。図２に示す通り、野球バット3は、開いた開口部2を通じてケース本体10から出し入れすることができる。
【００１４】
ケース本体10の第二短辺10c、第一長辺10b及び第二長辺10dは、熱による融着や接着前による接着により、開閉不可とすることができるが、これらに限定されるものではない。
【００１５】
図４は、本実施形態にかかる野球バット用ケース1の開口部2の部分拡大図である。ケース本体10は、開口部2を開閉するための開閉手段5を備える。本実施形態において、開閉手段5は、第一長方形シート10eの第一短辺10a近傍に位置する凸部ライナー5aと長方形シート10fの第一短辺10a近傍に位置する凹部ライナー5bを備え、凸部ライナー5aと凹部ライナー5bとが嵌合することでケース本体10の空間4が密閉され、開口部2が閉じた状態となる。開閉手段5は、複数個備えていてもよい。
【００１６】
図５は、図３に示す領域Rを概略的に示した部分拡大図である。ケース本体10は、空間4側に位置する非透湿層100aと、非透湿層100aを挟んで空間4とは反対側に位置する外層100bを含む。非透湿層100aは、例えば、シリカ蒸着層、ハーフ蒸着層又はその組み合わせである。ハーフ蒸着層は、金属（例えば、アルミニウム）を蒸着させた層である。組み合わせの場合は、シリカ蒸着層、ハーフ蒸着層及び外層の順番での層構造が好ましい。外層100bは、ポリオレフィン、ポリスチレン、ポリエチレンテレフタレート、ナイロン、ポリビニルアルコール、エチレン−ビニルアルコール共重合体などのプラスチックからできていてもよい。
【００１７】
他の実施形態
野球バット用ケース1は、手持ちベルトや肩掛けベルトを備えていてもよい。野球バット用ケース1は、他の野球バット用ケースに入れて持ち運ぶことも可能である。
【００１８】
野球バット用ケース1は、筒状の形態であってもよい。筒状の野球バット用ケース1において、開閉手段5は、線ファスナーや面ファスナーであってもよい。
【００１９】
野球バット用ケース1は、第一短辺10a以外の辺も開閉可能であっても良い。例えば、第一短辺10a及び第一長辺10b又は第二長辺10dが開閉可能であってもよく、第一短辺10a、第一長辺10b及び第二長辺10dが開閉可能であってもよく、全ての辺が開閉可能であってもよい。開閉可能な各辺には、それぞれ、開閉手段5が備わっていてもよく、各辺を通る1つの開閉手段5が備わっていてもよい。
【実施例】
【００２０】
テックバリアVXタイプ(登録商標)（三菱ケミカル株式会社、日本）を用いて、野球バット用ケースを作成し、野球バット用ケースに硬式ボール用木製バットと乾燥剤を加えて、硬式ボール用木製バットを乾燥させた。乾燥剤として250gのシリカゲルBを使用した。実施例で使用した木製バットは、以下の通りである。
木製バットA：オールドヒッコリー社製（北米産）
木製バットB：SSK社製（国産）、
木製バットC：ミズノ社製（国産）、
木製バットD：アシックス社製（国産）
木製バットE：オールドヒッコリー社製（北米産）
なお、木製バットEのみが新品であり、他の木製バットは、使用済みである。
【００２１】
野球バット用ケースに保存した各木製バットの質量を４週間経時的に測定した。結果を表１及び図６に示す。
【００２２】
【表１】
0003225116.tif 000003
【００２３】
木製バットAからEは、４週間で、それぞれ2.7%、1.7%、1.8%、2.0%及び2.0%の水分が減少した。よって、本野球バット用ケースは、木製バットを乾燥させることができた。これによって、安価に野球バットを乾燥させることができる。よって、本野球バット用ケースは、優れた湿度制御性を有することが明らかとなった。
【符号の説明】
【００２４】
１        野球バット用ケース
２        開口部
３        野球バット
４        空間
５        開閉手段
１０      ケース本体
５ａ      凸部ライナー
５ｂ      凹部ライナー
１０ａ    第一短辺
１０ｂ    第一長辺
１０ｃ    第二短辺
１０ｄ    第二長辺
１０ｅ    第一長方形シート
１０ｆ    第二長方形シート
１００ａ  非透湿層
１００ｂ  外層
【図１】
0003225116.tif 000004
【図２】
0003225116.tif 000005
【図３】
0003225116.tif 000006
【図４】
0003225116.tif 000007
【図５】
0003225116.tif 000008
【図６】
0003225116.tif 000009